(57)【要約】【課題】引戸装置において、分割する部屋間の開口部を自由に開閉する一方、閉時は引戸を開口部内で引通し状態に並べて段差のない壁に見えるように閉止する新たな間仕切りを実現させる。【解決手段】引戸装置Ｒは、ガイド溝１０を凹設した引戸Ａ・Ｂを開口部Ｓ内で開閉方向Ｘに移動自在に引戸レールＬで上吊りし、閉時は、引通し状態に並ぶ閉位置にシフトさせる一方、開時は、一方の引戸を、他方の引戸との召し合せが開口部の奥行方向にずれた引違い位置にシフトさせつつ開口部内で他方の引戸と奥行方向に重なる開位置へ移動させる構成にする。そして、両引戸が引通し状態にあるとき召し合せの真下位置に下部ガイドＧを回動自在に備え、そのガイドリンク４５の一端に枢支する第１ガイドローラ５０を一方の引戸のガイド溝に係合し、ガイドリンクの他端に枢支する第２ガイドローラ５１を他方の引戸のガイド溝に係合して両引戸を連結する。【選択図】          図１
2010174528.tif 000002
【特許請求の範囲】
【請求項１】
ガイド溝を下端面の長さ方向に凹設した一対の引戸を、開口部内で開閉方向にスライド移動自在に上吊りし、閉時は、互いに引通し状態に並ぶ閉位置にシフトさせる一方、開時は、いずれか一方の引戸を、他方の引戸との召し合せが開口部の奥行方向にずれた引違い位置にシフトさせつつ、開口部内で他方の引戸と奥行方向に重なる開位置へ移動させる引戸装置であって、
両引戸が引通し状態にあるとき召し合せの真下位置に下部ガイドを回動自在に備え、該下部ガイドが一端に枢支する第１ガイドローラを一方の引戸の前記ガイド溝に係合し、他端に枢支する第２ガイドローラを他方の引戸の前記ガイド溝に係合して両引戸を連結してなることを特徴とする、引戸装置。
【請求項２】
前記下部ガイドは、両引戸の召し合せの真下位置に枢軸を立設し、該枢軸を中心として回動自在にガイドリンクを取り付け、該ガイドリンクの一端に前記第１ガイドローラを枢支し、他端に前記第２ガイドローラを枢支してなることを特徴とする、請求項１に記載の引戸装置。
【請求項３】
前記下部ガイドは、両引戸の召し合せの真下位置で回転自在に枢支する中心歯車と、該中心歯車を間に挟んで開閉方向両側に立設する支軸と、該支軸でそれぞれ基端部を回動自在に枢支する一方、前記第１ガイドローラおよび前記第２ガイドローラを先端部に枢支する一対の回動アームを備え、各回動アームには基端部周縁に歯車部を形成し、それら歯車部を前記中心歯車に噛み合せてなることを特徴とする、請求項１に記載の引戸装置。
【発明の詳細な説明】
【技術分野】
【０００１】
本発明は、上吊り引戸を開閉方向にスライドさせて開口部を開閉し、特に閉時には複数枚の引戸を引通し状態に並べて開口部を段差のない壁に見えるように閉止する引戸装置に関する。
【背景技術】
【０００２】
従来、この種の引戸装置の中には、例えば上吊り引戸を開閉方向に案内する引戸レールの端部を、開口部の開閉方向と直交する奥行方向に向けて湾曲した形状とし、その湾曲部の案内で、閉時に引戸を戸袋壁と面一な状態で並ぶ閉位置へ誘導し、開時に引戸を閉方向へ引き戻すと、戸袋壁と重なる開位置へ誘導する構造にしたものがある（特許文献１参照）。
【先行技術文献】
【特許文献】
【０００３】
【特許文献１】特開２００４−２２５４３５号公報
【発明の概要】
【発明が解決しようとする課題】
【０００４】
ところで、広い会議室や病室や教室などでは、必要に応じて、間仕切りを設けて部屋を幾つかに分割して使用する場合があるが、その場合に、最近では、スライド自在の上吊り引戸を利用して分割する部屋間を自由に開閉する一方、閉時は引戸を引通し状態に並べて開口部を段差のない壁のように閉止できる、新たな間仕切りの必要性が叫ばれている。
【０００５】
ところが、上述した従来の誘導型引戸装置は、開時に引戸を戸袋壁と重なる開方向へ案内して開口部内から引き出す構造であるため、そのように開閉方向に沿って戸袋壁のない構造の部屋には適用することができず、即ち、仕切った部屋間の開口部を引戸で自由に開閉し、閉時には引戸を引通し状態に並べて開口部を段差のない壁のように閉止する間仕切りとして利用することができないという課題があった。
【０００６】
そこで、本発明の目的は、引戸装置において、分割する部屋間を自由に開閉する一方、閉時は引戸を開口部内で引通し状態に並べて段差のない面一な壁に見えるように閉止する新しい間仕切りを提供することにある。
【０００７】
本発明の目的を達成すべく、請求項１に記載の発明は、たとえば以下に示す図示実施の形態のとおり、ガイド溝１０を下端面の長さ方向に凹設した一対の引戸Ａ・Ｂを、開口部Ｓ内で開閉方向Ｘにスライド移動自在に上吊りし、閉時は、互いに引通し状態に並ぶ閉位置にシフトさせる一方、開時は、いずれか一方の引戸を、他方の引戸との召し合せが開口部Ｓの奥行方向Ｙにずれた引違い位置にシフトさせつつ、開口部Ｓ内で他方の引戸と奥行方向Ｙに重なる開位置へ移動させるフラット引戸装置Ｒであって、両引戸Ａ・Ｂが引通し状態にあるとき召し合せの真下位置Ｚに下部ガイドＧを回動自在に備え、該下部ガイドＧが一端に枢支する第１ガイドローラ５０を一方の引戸の前記ガイド溝１０に係合し、他端に枢支する第２ガイドローラ５１を他方の引戸の前記ガイド溝１０に係合して両引戸Ａ・Ｂを連結してなることを特徴とする。
【０００８】
請求項２に記載の発明は、請求項１に記載の引戸装置Ｒにおいて、たとえば以下に示す図示実施の形態のとおり、前記下部ガイドＧは、両引戸Ａ・Ｂの召し合せＺの真下位置に枢軸４６を立設し、該枢軸４６を中心として回動自在にガイドリンク４５を取り付け、該ガイドリンク４５の一端に前記第１ガイドローラ５０を枢支し、他端に前記第２ガイドローラ５１を枢支してなることを特徴とする。
【０００９】
請求項３に記載の発明は、請求項１に記載のフラット引戸装置Ｒにおいて、たとえば以下に示す図示実施の形態のとおり、前記下部ガイドＧは、両引戸Ａ・Ｂの召し合せＺの真下位置で回転自在に枢支する中心歯車６０と、該中心歯車６０を間に挟んで開閉方向Ｘ両側に立設する支軸７０・７１と、該支軸７０・７１でそれぞれ基端部を回動自在に枢支する一方、前記第１ガイドローラ５０および前記第２ガイドローラ５１を先端部に枢支する一対の回動アーム６５・６６を備え、各回動アーム６５・６６には基端部周縁に歯車部６５ｃ・６６ｃを形成し、それら歯車部６５ｃ・６６ｃを前記中心歯車６０に噛み合せてなることを特徴とする。
【発明の効果】
【００１０】
本発明によれば、ガイド溝を下端面の長さ方向に凹設した一対の引戸を、開口部内で開閉方向にスライド移動自在に上吊りし、閉時は、互いに引通し状態に並ぶ閉位置にシフトし、開時は、いずれか一方の引戸を、他方の引戸との召し合せが開口部の奥行方向にずれた引違い位置にシフトさせつつ、開口部内で他方の引戸と奥行方向に重なる開位置へ移動させる構成にする一方で、両引戸が開閉方向に引通し状態にあるとき召し合せの真下位置に、下部ガイドを回動自在に備え、下部ガイドが一端に枢支する第１ガイドローラを一方の引戸のガイド溝に係合し、他端に枢支する第２ガイドローラを他方の引戸のガイド溝に係合して両引戸を連結するため、開時に、いずれか一方の引戸が他方の引戸との召し合せが開口部の奥行方向にずれた引違い位置にシフトすると同時に、ガイド溝に係合した下部ガイドの第２ガイドローラに押されて他方の引戸が引違い位置に自動的にシフトし、以って、両引戸を開口部内で互いに引違い移動可能な状態にセットすることができ、閉時に、いずれか一方の引戸を、開位置から他方の引戸との前記引違い位置へ案内してから、その引違い位置から他方の引戸と引通し状態で並ぶ閉位置にシフトさせると同時に、ガイド溝に係合した下部ガイドの第１ガイドローラに押されて他方の引戸が開口部内で一方の引戸と引通し状態に並ぶ閉位置に自動的にシフトし開口部を閉止することができ、従って、開閉時に引戸を開口部内から引き出す必要のない構造であるため、たとえ開口部の開閉方向に沿って戸袋壁のような壁体のない構造の部屋であっても、上吊り引戸を使って間仕切りすることができる。即ち、分割する部屋の開口部を上吊り引戸で自由に開閉し、閉時に段差のない面一な壁に見えるように閉止する、新しい間仕切りを提供することができる。
【００１１】
更に、本発明によれば、両引戸が開閉方向に引通し状態にあるとき召し合せの真下位置に、下部ガイドを回動自在に備え、該下部ガイドが一端に枢支する第１ガイドローラを一方の引戸のガイド溝に係合し、他端に枢支する第２ガイドローラを他方の引戸のガイド溝に係合して両引戸を連結した構成であるため、それら引戸を、開閉時に下部側がフラ付いたりガタ付いたりしないように開閉方向へ下部ガイドで案内し、互いに平行なフラットな姿勢を保ちながら整然と直進させることができ、しかも、それら引戸を開閉方向と直交する奥行方向前後の閉位置や引違い位置にシフトさせるとき、下部ガイドで互いにぶつからないように案内して整然とシフトさせることができる。
【図面の簡単な説明】
【００１２】
【図１】本発明の一例である引戸装置を適用した間仕切りを閉状態で示す斜視図である。
【図２】間仕切りの概略平面図である。
【図３】引戸装置に備えた引戸レールと戸車ユニットの組立斜視図である
【図４】戸車ユニットの分解斜視図である。
【図５】引戸装置に備えた下部ガイドの分解斜視図である。
【図６】（Ａ）下部ガイドの取付状態を示す斜視図、（Ｂ）下部ガイドの組立斜視図である。
【図７】間仕切りを引戸が引違い動作途中の状態において示す斜視図である。
【図８】間仕切りを引戸の引違い状態において示す斜視図である。
【図９】（Ａ）引戸が引違い動作途中の間仕切りを示す概略平面図、（Ｂ）引戸が引違い状態の間仕切りを示す概略平面図である。
【図１０】引戸を下部ガイドで引違い位置へと案内する状態を（Ａ）・（Ｂ）・（Ｃ）と段階的に示す部分斜視図である。
【図１１】間仕切りを、引戸が引違い位置から閉位置へ向けて引き寄せ始めた状態において示す斜視図である。
【図１２】間仕切りを、引戸を引違い位置から閉位置へ引き寄せる途中の状態において示す斜視図である
【図１３】（Ａ）引戸を引違い位置から閉位置へ向けて引き寄せ始めた状態の間仕切りを示す概略平面図、（Ｂ）引戸を引違い位置から閉位置へ引き寄せる途中の状態の間仕切りを示す概略平面図である。
【図１４】間仕切りを引戸の全開状態において示す斜視図である。
【図１５】全開状態の間仕切りを示す概略平面図である。
【図１６】（Ａ）他例の下部ガイドの取付状態を示す斜視図、（Ｂ）他例の下部ガイドの組立斜視図である。
【図１７】他例の下部ガイドの分解斜視図である。
【図１８】引戸を引違い位置へと案内する他例の下部ガイドの動きを（Ａ）・（Ｂ）・（Ｃ）と段階的に示す斜視図である。
【発明を実施するための形態】
【００１３】
以下、図面を参照しつつ、本発明の実施形態について説明する。
【００１４】
図１は、本発明の引戸装置を適用した間仕切りを閉状態で示す斜視図、図２は図１の間仕切りの概略平面図である。図示例の間仕切りＰは、本発明の引戸装置Ｒにより、床面Ｆと矩形な戸枠Ｃとで囲んだ部屋の開口部Ｓ内で、一対の引戸Ａ・Ｂを、開閉方向Ｘにスライド移動自在に上吊りし、閉時は同一直線上の引通し状態に並ぶ閉位置に案内する一方、開時は互いの召し合せＺが開閉方向Ｘと直交する奥行方向Ｙにずれた引違い位置へシフトできるように吊り込んでなる。
【００１５】
そのため、引戸装置Ｒは、引戸Ａ・Ｂを開閉方向Ｘにスライド移動自在に案内する引戸レールＬと、引戸Ａ・Ｂの上端面に組み付ける一対の戸車ユニットＴ１・Ｔ２と、引戸Ａ・Ｂを連結して互いに引き違う奥行方向Ｙに案内する下部ガイドＧを備える。
【００１６】
引戸Ａ・Ｂは、例えば木製で、それぞれ下端面の長さ方向にガイド溝１０を凹設している。ガイド溝１０は、溝形状に合わせて断面コ形の細長い補強部材を嵌め込んで内壁を補強し、長さ方向両溝端にエンドキャップ１０ａを嵌めて塞いでなる。また、引戸Ａ・Ｂは、召し合せＺにおいて、互いの木口にテーパ１を付け、閉時、引通し状態にあるときに互いが密接するようになっている。
【００１７】
引戸レールＬは、金属製で、開口部Ｓの幅に合わせて長尺な取付板部１１を有し、取付板部１１の幅方向両側には、図３に示すように、それぞれ溝開口が互いに外向きの断面Ｅ形状をなす上下２段のローラ係合部１１ａ・１１ｂを左右対称に並設する共に、ローラ係合部１１ａ・１１ｂ間には、それらと平行に一対のガイドリブ１１ｃ・１１ｃを幅方向前後に間隔をあけて立設し、ガイドリブ１１ｃ・１１ｃ間の取付板部１１上に樹脂製の仕切りレール１２を接着してなる。仕切りレール１２は、中間にガイド凸条部１２ａを設け、ガイドリブ１１ｃ・１１ｃとの間において、幅方向一側に第１軸ガイド溝１３を設けると共に、第１軸ガイド溝１３と平行に第２軸ガイド溝１４を形成する一方、図１に示すように、両軸ガイド溝１３・１４間を奥行方向Ｙへ直角に横断する連絡通路１５・１６を、所定間隔をあけて設けてなる。引戸レールＬは、取付板部１１を戸枠Ｃの上枠部に固定して開閉方向Ｘに沿って敷設してなる。
【００１８】
戸車ユニットＴ１・Ｔ２は、図３および図４に示すように、それぞれ走行フレーム２０および取付プレート２５と、これらに組み付ける構成部品からなる。
【００１９】
走行フレーム２０は、金属板をコ形状に曲げて、平板部２０ａと一対のローラ保持片部２０ｂとからなり、平板部２０ａの略中間位置に連絡通路１５・１６に対応させて幅方向に長くあけた軸挿通穴２１を設け、ローラ保持片部２０ｂには、長手方向両端側に平行に伸びた脚部分２０ｃを突設して全体にＨ形に成形してなる。
【００２０】
走行フレーム２０は、ローラ保持片部２０ｂの向い合う内面側に、それぞれ戸車の走行ローラ２２を縦向きに立てた状態で枢支すると共に、横振れ防止用の案内ローラ２３を、Ｌ板状軸受片２４を介して横向きに寝かせた状態で枢支している。平板部２０ａには、軸挿通穴２１を間に挟んだ長手方向両端寄りに一対のスライドレール５５を装着し、スライドレール５５と軸挿通穴２１間に一対の付勢ばね２６・２７を装着し、片方の付勢ばね２７と軸挿通穴２１間にダンパ２８を装着している。
【００２１】
スライドレール５５は、両側縁に内向きに湾曲した係合部２９ａを有した固定レール２９と、両側縁に外向きに湾曲した係合部３０ａを有した可動レール３０とを、互いの係合部２９ａ・３０ａにおいて、図示省略するリテーナで保持した多数のボールを介し係合させて摺動自在に連結してなる。そこで、スライドレール５５は、固定レール２９を軸挿通穴２１と平行な幅方向に向けて平板部２０ａに固着して走行フレーム２０に装着している。
【００２２】
ダンパ２８は、直方形のダンパケース３１内に胴筒を収納し、胴筒から先端を突出させた制動軸３２を軸方向に直線往復動可能に保持する一方、制動軸３２と胴筒の内周面間の隙間にオイルを充填して胴筒内に密封し、先端側から制動軸３２を胴筒内へ押し込むと、オイルの粘性抵抗により制動力を発生する、所謂オイルダンパからなる。そこで、ダンパ２８は、制動軸３２の先端を幅方向一側へ向けて平板部２０ａにダンパケース３１を固着して走行フレーム２０に装着している。付勢ばね２６・２７は、圧縮コイルバネで、ばね一端２６ａ・２７ａを、平板部２０ａ上の幅方向他側に突設した一対のバネ掛けピン３３に掛け止め、ばね他端２６ｂ・２７ｂは、取付プレート２５の下面に突設したバネ掛けピン３４に掛け止めるようにする。
【００２３】
一方、取付プレート２５は、長さ方向両端寄りに雌ねじ穴２５ａを有したやや長手な矩形金属板で、雌ねじ穴２５ａ間の中央にガイド軸３５を突設する一方、雌ねじ穴２５ａに吊ボルト４０を螺着してガイド軸３５とは反対向きに突設する。更に、取付プレート２５には、ガイド軸３５が突出する側の下面において、幅方向他側の側縁にダンパ押圧板片３６をねじ止めし、長さ方向一端の端縁にコロ支持板片３７をねじ止めしてガイド軸３５と同じく垂下している。コロ支持板３７は、横振れ防止用のコロ３８を、スライドレール５５に対応させて幅方向前後へ回転可能に枢支している。
【００２４】
そこで、戸車ユニットＴ１・Ｔ２は、ガイド軸３５を軸挿通穴２１に挿通し、横振れ防止用コロ３８を平板部２０ａに当接させた状態で、取付プレート２５を走行フレーム２０上で可動レール３０に固着し、取付プレート２５を走行フレーム２０に対し幅方向前後に移動可能に装着する。それから、付勢ばね２６・２７のばね他端２６ｂ・２７ｂを、取付プレート２５側のバネ掛けピン３４に掛け止めて、取付プレート２５を走行フレーム２０に対し幅方向一側へ向けて付勢し、図３に示すように、互いが重なり合った状態にして組み立てる。
【００２５】
次いで、引戸装置Ｒでは、一方の戸車ユニットＴ１を、吊ボルト４０の頭部４０ａを引戸Ａの上端面に固着した取付金具３９に係着して引戸Ａに搭載する。他方の戸車ユニットＴ２は、付勢ばね２６・２７による取付プレート２５の付勢方向が戸車ユニットＴ１に対して１８０度逆向きになるように反転させて配置し、吊ボルト４０の頭部４０ａを、図１に示すように、引戸Ｂの上端面に固着した取付金具３９に係着させて引戸Ｂに搭載する。このとき、戸車ユニットＴ１・Ｔ２は、引戸Ａ・Ｂが一直線の引通し状態に並んで開口部Ｓを閉じた間仕切り状態にあるとき、各々のガイド軸３５が引戸レールＬの連絡通路１５・１６と対向する位置で、引戸Ａ・Ｂに組み付ける。
【００２６】
そこで、引戸Ａは、戸車ユニットＴ１のガイド軸３５を、引戸レールＬの連絡通路１５と対向する位置で奥行方向手前側の軸ガイド溝１３に係合し、走行ローラ２２・２３を第１ローラ係合部１１ａに係合して開口部Ｓ内に吊り込む。他方、引戸Ｂは、戸車ユニットＴ２のガイド軸３５を連絡通路１６と対向する位置で奥側の軸ガイド溝１４に係合し、走行ローラ２２・２３を一段高い第２ローラ係合部１１ｂに係合して開口部Ｓ内に吊り込む。こうして引戸Ａ・Ｂは、それぞれ引戸レールＬに戸車ユニットＴ１・Ｔ２を介して上吊りし、開口部Ｓ内で引通し状態に並べて開口部Ｓを閉じた間仕切り状態で戸枠Ｃに組み付け、開口部Ｓの開閉方向Ｘには、引戸レールＬの第１ローラ係合部１１ａ・１１ｂを通じてスライド移動可能とする一方、開閉方向Ｘと直交する奥行方向Ｙには、連絡通路１５・１６を通じてシフト移動可能に構成する。
【００２７】
下部ガイドＧは、図５に示すように、取付ベース４４と、ガイドリンク４５と、ガイドリンク４５の回動支点の枢軸４６と、第１ガイドローラ５０および第２ガイドローラ５１を備えてなる。取付ベース４４は、細長矩形な金属板で、長さ方向中心に軸取付穴４４ａを設ける一方、両端にねじ止め位置調整用の長穴４４ｂを設けてなる。ガイドリンク４５は、細長い矩形の金属プレートで、長さ方向中央に軸挿通穴４７を設ける一方、両端に軸受穴４８・４９を設けてなる。ガイドローラ５０・５１は、それぞれ段付きの取付軸５２とゴム製円筒体５３とワッシャー５４とからなり、軸受穴４８・４９に取付軸５２の一段細い下端軸部５２ａを通してかしめる一方、ゴム製円筒体５３に一段細い上端軸部５２ｂを嵌合させてから、上端軸部５２ｂにワッシャー５４を介してゴム製円筒体５３を回転自在に連結してなる。
【００２８】
そこで、下部ガイドＧは、図１に示すように、引戸Ａ・Ｂが引通し状態に並んで閉状態にあるとき、召し合せＺの真下位置に軸取付穴４４ａを合わせて取付べース４４を床面Ｆ上に開閉方向Ｘに沿って載置し、図６（Ａ）に示すように、木ネジ５６を長穴４４ｂに通して床面Ｆにねじ止めする。次いで、図５に示すように、枢軸４６を、上ワッシャー５７とガイドリンク４５の軸挿通穴４７と下ワッシャー５８の順に挿通し、先端軸部４６ａを軸取付穴４４ａに通してかしめ、図６（Ｂ）に示すように、ガイドリンク４５を枢軸４６を中心として回動自在に取付ベース４４に取り付ける。それから、図１に示すように引戸Ａ・Ｂが引通し状態に並んで閉状態にあるとき、第１ガイドローラ５０を引戸Ａのガイド溝１０に係合し、第２ガイドローラ５１を引戸Ｂのガイド溝１０に係合させて両引戸Ａ・Ｂを連結してなる。
【００２９】
さて、上述した構成の引戸装置Ｒにおいて、間仕切Ｐを開ける場合は、引通し状態で閉位置にある引戸Ａ・Ｂのうち、例えば図７および図８に示すように、引戸Ａを図中手前から奥側へ押し込む（反対の図中奥側から引戸Ａを引き寄せてもよい）。すると、引戸Ａの上部では、図１に示すように、戸車ユニットＴ１のガイド軸３５が第２軸ガイド溝１４への連絡通路１５の真向かいで第１軸ガイド溝１３に係合しているため、図３で示す可動レール３０が付勢ばね２６・２７に抗して摺動して取付プレート２５を走行フレーム２０に対し奥行方向Ｙ奥側に移動する。すると、それに従って、ガイド軸３５が第１軸ガイド溝１３から連絡通路１５を横断して第２軸ガイド溝１４に係合し、引戸Ａは、図９（Ａ）・（Ｂ）に順に示すように、引戸Ｂとの引通し位置から奥行方向Ｙ奥側の引違い位置へシフトする。引戸Ａが押されて奥行方向Ｙ奥側へシフトすると、図１０に示すように、下部ガイドＧの第１ガイドローラ５０が引戸Ａのガイド溝１０の溝側壁に押されてガイドリンク４５が枢軸４６を中心として図中時計方向に回動し、すると、引戸Ｂは、第２ガイドローラ５１にガイド溝１０の溝側壁を押されて奥行方向Ｙ手前側へ押し出され、引戸Ａと互いに衝突することなく整然と引違い位置へとシフトする。そのとき、引戸Ｂの上部では、図１に示したように、戸車ユニットＴ２のガイド軸３５が第１軸ガイド溝１３への連絡通路１６の真向かいで第２軸ガイド溝１４に係合しているため、可動レール３０が付勢ばね２６・２７に抗して摺動して取付プレート２５を走行フレーム２０に対し奥行方向Ｙ手前側へ移動する。すると、それに従って、図９（Ａ）・（Ｂ）に示したように、ガイド軸３５が第２軸ガイド溝１４から連絡通路１６を横断して第１軸ガイド溝１３に係合し、引戸Ｂが引戸Ａと引通し状態の閉位置から奥行方向Ｙ手前側の引違い位置へとシフトする。その結果、両引戸Ａ・Ｂは、互いの召し合せＺが開口部Ｓの奥行方向Ｙ前後にずれて引違い移動可能な状態にセットされる。
【００３０】
更に続けて、例えば他方の引戸Ｂを、図１１、図１２および図１３（Ａ）・（Ｂ）に示すように開方向へと引くと、戸車ユニットＴ２のガイド軸３５が第１軸ガイド溝１３に係合した状態で、図３に示す走行ローラ２２と案内ローラ２３を引戸レールＬの第１ローラ係合部１１ａにて転動させながら、戸車ユニットＴ２が引戸レールＬに沿って走行し、以って、引戸Ｂは、上部側において横振れすることなく開方向へと直進する。それと同時に、引戸Ｂの下部側は、下部ガイドＧの第２ガイドローラ５１がガイド溝１０に係合して引戸Ａに連結しているため、引戸Ｂは、下部側がフラ付いたりガタ付いたりしないように開方向へ下部ガイドＧで案内され、引戸Ａと平行なフラットな姿勢を保ちながら整然と直進する。しかる後、図１４および図１５に示すように、引戸Ａと奥行方向前後に重なる開位置まで直進して間仕切りＰの図中右側を開放する。
【００３１】
さて、間仕切りＰの閉時は、開位置にある引戸Ｂを、そのまま閉方向へ引き戻す。すると、戸車ユニットＴ２のガイド軸３５が第１軸ガイド溝１３に係合した状態で、図３に示す走行ローラ２２とガイドローラ２３を引戸レールＬの第２ローラ係合部１１ｂにて転動させながら、戸車ユニットＴ２が引戸レールＬに沿って走行し、以って、引戸Ｂは、上部側において横振れすることなく閉方向へと直進する。それと同時に、引戸Ｂの下部側は、下部ガイドＧの第２ガイドローラ５１がガイド溝１０に係合して引戸Ａと連結しているため、引戸Ｂは、下部側がフラ付いたりガタ付いたりしないように閉方向へ下部ガイドＧで案内され、引戸Ａと平行なフラットな姿勢を保ちながら整然と引戸Ａとの引違い位置へ直進する。
【００３２】
しかる後、戸車ユニットＴ２のガイド軸３５が第２軸ガイド溝１４への連絡通路１６の真向かい位置に至ると、付勢ばね２６・２７の付勢力で固定レール２９に対し可動レール３０が逆向きに摺動して取付プレート２５を奥行方向Ｙ奥側へ移動し、それに従って、図２に示したように、ガイド軸３５が連絡通路１６を横断して元の第２軸ガイド溝１４に係合し、以って、引戸Ｂが奥行方向Ｙ奥側へ引き寄せられて元の閉位置へと自動的にシフトする。
【００３３】
一方、引戸Ｂが奥行方向Ｙ奥側へ引き寄せられると、下部側では（図１０参照）、下部ガイドＧの第２ガイドローラ５１が引戸Ｂのガイド溝１０の溝側壁に押されてガイドリンク４５が枢軸４６を中心として図中反時計方向に回動し、すると、引戸Ａは、第１ガイドローラ５０にガイド溝１０の溝側壁を押されて奥行方向Ｙ手前側へ引き寄せられ、引戸Ｂと互いに衝突することなく整然と元の閉位置へシフトする。そのとき、引戸Ａの上部では（図１参照）、戸車ユニットＴ１のガイド軸３５が第１軸ガイド溝１３への連絡通路１５の真向かいで第２軸ガイド溝１４に係合しているため、付勢ばね２６・２７の付勢力で可動レール３０が逆向きに摺動して取付プレート２５を奥行方向手前側へ移動する。すると、それに従って、図２に示したように、ガイド軸３５が第２軸ガイド溝１４から連絡通路１５を横断して元の第１軸ガイド溝１３に係合し、引戸Ａは、奥行方向Ｙ手前へ引き寄せられ、開口部Ｓ内で引戸Ｂと引通し状態に並んだ元の閉位置へと自動的にシフトする。こうして開口部Ｓ内で引通し状態に並んだ両引戸Ａ・Ｂで開口部Ｓを全閉して屋を間仕切りする。
【００３４】
なお、この閉時に、両引戸Ａ・Ｂの上部側では、戸車ユニットＴ１・Ｔ２に備えたダンパ２８の制動軸３２の先端に、取付プレート２５側のダンパ押圧板片３６が当たり、引戸Ａ・Ｂがそれぞれ奥行方向Ｙ前後に引き寄せられるに従い、制動軸３２が胴筒内に押し込まれる。すると、引戸Ａ・Ｂの引寄せ動作に対しオイルの粘性抵抗による制動力が作用し、引戸Ａ・Ｂが一気に閉位置へ引き寄せられてバターンという衝突音を発生することがなく、閉位置の直前では、ゆっくり引き寄せられて整然と閉位置へとそれぞれシフトする。
【００３５】
ところで、本発明の引戸装置Ｒにおいて、下部ガイドＧは、上記実施例に限らず、例えば図１６、図１７および図１８に示すように構成することもできる。なお、図示他例において、上記実施例中の構成部品と同一のものには同じ符号を付して説明する。
【００３６】
図示他例の下部ガイドＧは、取付ベース５９と、中心歯車６０と、中心歯車６０の回動支点の枢軸４６と、一対の回動アーム６５・６６と、回動アーム６５・６６の回転支点の支軸７０・７１と、回動アーム６５・６６でそれぞれ枢支する一対の第１ガイドローラ５０および第２ガイドローラ５１を備える。取付ベース５９は、細長矩形な金属板で、長さ方向中心に軸取付穴５９ａを設け、両端にねじ止め穴５９ｂを設けてなる。中心歯車６０は、中心に軸挿通穴６０ａを有した平歯車からなる。回動アーム６５・６６は、短尺な金属板で、両端に軸取付穴６５ａ・６５ｂ、６６ａ・６６ｂを有し、基端部周縁に扇形の歯車部６５ｃ・６６ｃを刻設してなる。
【００３７】
そこで、図示他例の下部ガイドＧは、引戸Ａ・Ｂが引通し状態に並んで開口部Ｓを閉じた状態にあるとき、召し合せＺの真下位置に軸取付穴５９ａを合わせて取付べース５９を床面Ｆ上に開閉方向Ｘに沿って載置し、図１６（Ａ）に示す木ネジ５６をねじ止め穴５９ｂに通して床面Ｆにねじ止めする。中心歯車６０は、軸挿通穴６０ａに枢軸４６を通して先端軸部４６ａを軸取付穴５９ａに通してかしめ、枢軸４６を中心として回動自在に取付ベース５９に取り付ける。ガイドローラ５０・５１は、それぞれ取付軸５２の下部軸部５２ａを軸取付穴６５ａ・６６ａに通してかしめて回動アーム６５・６６の先端部に立設する。回動アーム６５・６６は、それぞれ歯車部６５ｃ・６６ｃを中心歯車６０に噛み合せる一方、支軸７０・７１の先端７０ａ・７１ａをワッシャー６９に通してから軸取付穴６５ｂ・６６ｂでかしめ、図１６（Ｂ）に示すように、取付べース５９上で支軸７０・７１を中心として回動自在に取り付けて下部ガイドＧを組み立ててなる。そして、下部ガイドＧは、前述のように引戸Ａ・Ｂが引通し状態に並んで開口部Ｓを閉じた状態にあるとき、第１ガイドローラ５０を引戸Ａのガイド溝１０に係合し、第２ガイドローラ５１を引戸Ｂのガイド溝１０に係合して両引戸Ａ・Ｂを連結してなる。
【００３８】
従って、図示他例の下部ガイドＧは、間仕切りＰの開時、引戸Ａが引戸Ｂと引通し状態の閉位置から奥行方向Ｙ奥側に押されてシフトすると、図１８（Ａ）・（Ｂ）・（Ｃ）に順に示すように、第１ガイドローラ５０が引戸Ａのガイド溝１０の溝側壁に押されて回動アーム６５が支軸７０を中心として図中時計方向に回動し、すると、歯車部６５ｃが噛み合う中心歯車６０を反時計方向に回転し、中心歯車６０に歯車部６６ｃが噛み合う回動アーム６６を時計方向に回動する。すると、引戸Ｂが回動アーム６６の第２ガイドローラ５１にガイド溝１０の溝側壁を押されて奥行方向Ｙ手前側の引違い位置に押し出すことができる。
【００３９】
一方、間仕切りＰの閉時に、付勢ばね２６・２７の付勢力で引戸Ｂが引違い位置から奥行方向Ｙ奥側へ引き寄せられ閉位置に自動的にシフトすると、第２ガイドローラ５１が引戸Ｂのガイド溝１０の溝側壁に押されて回動アーム６６が支軸７１を中心として反時計方向に回動する。すると、歯車部６６ｃと噛み合う中心歯車６０が時計方向に回転し、中心歯車６０と歯車部６５ｃが噛み合った回動アーム６５が反時計方向に回動する。すると、図示他例では、引戸Ａが回動アーム６５の第１ガイドローラ５０にガイド溝１０の溝側壁を押され、奥行方向Ｙ手前側の引戸Ｂと引通し状態の元の閉位置へ引き寄せられて自動的にシフトする。そして、開口部Ｓ内で引通し状態に並んだ両引戸Ａ・Ｂで開口部Ｓを閉止して部屋を間仕切りする。
【００４０】
以上の図示実施の形態では、一対の引戸Ａ・Ｂを下部ガイドＧで連結して部屋の開口部Ｓに開閉自在の間仕切Ｐを形成した例を示したが、開口部が更に開閉方向左右に広い場合は、その開口幅に応じて、下部ガイドＧでそれぞれ連結した複数対の引戸を開口部内に引通し状態で配列して間仕切りを形成する。
【産業上の利用可能性】
【００４１】
本発明の引戸装置は、一般住宅、オフィスビル、病院、学校等の部屋の間仕切りに適用する場合に限らず、クローゼット、家具、物置などの開口部の開閉用扉などにも広く適用することができる。
【符号の説明】
【００４２】
Ａ・Ｂ            引戸
Ｇ                下部ガイド
Ｆ                床面
Ｌ                引戸レール
Ｐ                間仕切
Ｒ                引戸装置
Ｓ                開口部
Ｔ１・Ｔ２        戸車ユニット
１０              引戸のガイド溝
１３              第１軸ガイド溝
１４              第２軸ガイド溝
１５・１６        連絡通路
２０              走行フレーム
２５              取付プレート
２６・２７        付勢ばね
４５              ガイドリンク
５０              第１ガイドローラ
５１              第２ガイドローラ
５５              スライドレール
６０              中心歯車
６５・６６        回動アーム
６５ｃ・６６ｃ    歯車部
【図１】
2010174528.tif 000003
【図２】
2010174528.tif 000004
【図３】
2010174528.tif 000005
【図４】
2010174528.tif 000006
【図５】
2010174528.tif 000007
【図６】
2010174528.tif 000008
【図７】
2010174528.tif 000009
【図８】
2010174528.tif 000010
【図９】
2010174528.tif 000011
【図１０】
2010174528.tif 000012
【図１１】
2010174528.tif 000013
【図１２】
2010174528.tif 000014
【図１３】
2010174528.tif 000015
【図１４】
2010174528.tif 000016
【図１５】
2010174528.tif 000017
【図１６】
2010174528.tif 000018
【図１７】
2010174528.tif 000019
【図１８】
2010174528.tif 000020